(57)【特許請求の範囲】
【請求項１】
シリンダ部と、
該シリンダ部の内周面に沿ってシリンダ軸方向に摺動可能なピストン部と、
該ピストン部を操作する操作部と、
前記シリンダ部内の液室に連通された管状の吸込み部と、
該吸込み部の内側に配設され、前記ピストン部の引戻し動作に連動して開けられる開閉可能な吸込み弁と、
前記シリンダ部の側方に向かって突出していると共に該シリンダ部に直結されて前記液室に連通された筒状のノズル部と、
該ノズル部の内側に配設され、前記ピストン部の押込み動作に連動して開けられる開閉可能な吐出弁と、
を備える吐出ポンプであって、
前記吐出弁が、シール性を発揮する閉状態を維持したまま前記ノズル部の軸線方向に沿って移動可能に設けられ、
前記ノズル部の内側に、該ノズル部の軸線方向に貫通する挿通孔が形成された隔壁部が配設されており、
前記吐出弁には、前記挿通孔の内側に前記軸線方向に移動可能に挿通された挿通部と、該挿通部の両端部に設けられていると共に前記隔壁部の両側にそれぞれ配置されて該隔壁部に対してそれぞれ係止可能な一対の係止部と、前記ノズル部の内周面に全周に亘って液密に摺接すると共に弾性的に縮径変形可能なテーパー状の弁体部と、が備えられていることを特徴とする吐出ポンプ。
【発明の詳細な説明】
【技術分野】
【０００１】
本発明は、容器本体の内側に収容された内容物を吐出するための吐出ポンプに関する。
【背景技術】
【０００２】
この種の吐出ポンプとして、従来、例えば下記特許文献１に示されているように、シリンダ部と、シリンダ部の内周面に沿ってシリンダ軸方向に摺動可能なピストン部と、ピストン部を操作する操作部と、シリンダ部内の液室に連通された内側筒部（吸込み部）と、内側筒部の内側に配設された開閉可能な第一逆止弁（吸込み弁）と、シリンダ部の側方に向かって突出すると共にシリンダ部に直結されてシリンダ部内の液室に連通された筒状のノズル部と、ノズル部の内側に配設された開閉可能な第二逆止弁（吐出弁）と、容器本体の口部に装着される装着キャップと、を備える構成が知られている。
【０００３】
上記したシリンダ部は、装着キャップの上方に配設されており、容器本体の外側に配設されている。また、上記した操作部は、ピストン部に連結されたトリガーと、トリガーを付勢するバネと、を備えており、トリガーを押し下げることでピストン部が下方に押し込まれ、トリガーを押し下げる力を解除することでバネによってトリガーが押し上げられてピストン部が上方に引き戻される構成となっている。また、上記した第一、第二逆止弁は、シリンダ部内の液室の内圧に応じて開閉される逆止弁であり、第一逆止弁は、ピストン部が押し込み位置から上方に引き戻されて液室が負圧になることで開けられ、第二逆止弁は、ピストン部が下方に押し込まれて液室が正圧になることで開けられる。
【０００４】
上記した吐出ポンプでは、トリガーを押し下げ操作することで、ピストン部が押し込まれて第二逆止弁が開けられ、その結果、液室内の内容物がノズル部の内側を通って外部に吐出される。そして、ピストン部の押込み動作が停止して液室の内圧が大気圧と等しくなると、第二逆止弁が弾性によって閉じられる。その後、トリガーを離すことで、バネによる付勢によってピストン部が引き戻され、第一逆止弁が開けられ、その結果、容器本体内の内容物が内側筒部を通って液室内に吸い込まれる。そして、ピストン部の引戻し動作が停止して液室の内圧が容器本体の内圧と等しくなると、第一逆止弁が弾性によって閉じられる。
【先行技術文献】
【特許文献】
【０００５】
【特許文献１】特開２００９−９０２０１号公報
【発明の概要】
【発明が解決しようとする課題】
【０００６】
しかしながら、上記した従来の吐出ポンプでは、上述したようにピストン部が引き戻されてシリンダ部内の液室に内容物が吸い込まれる際、ピストン部が最上端の位置まで戻り切ってから第一逆止弁が閉じられるまでの間に、内側筒部の内側を流通する内容物（液体）の慣性によって液室内に内容物が流入するおそれがある。この場合、液室の内圧が加圧されるので、第二逆止弁が一時的に開いて液室内の内容物がノズル部内に漏出し、ノズル部の先端から液垂れが生じるおそれがある。
【０００７】
本発明は、上記した従来の問題が考慮されたものであり、吐出操作後のノズル部からの液垂れを防止できる吐出ポンプを提供することを目的としている。
【課題を解決するための手段】
【０００８】
本発明に係る吐出ポンプは、シリンダ部と、該シリンダ部の内周面に沿ってシリンダ軸方向に摺動可能なピストン部と、該ピストン部を操作する操作部と、前記シリンダ部内の液室に連通された管状の吸込み部と、該吸込み部の内側に配設され、前記ピストン部の引戻し動作に連動して開けられる開閉可能な吸込み弁と、前記シリンダ部の側方に向かって突出していると共に該シリンダ部に直結されて前記液室に連通された筒状のノズル部と、該ノズル部の内側に配設され、前記ピストン部の押込み動作に連動して開けられる開閉可能な吐出弁と、を備える吐出ポンプであって、前記吐出弁が、シール性を発揮する閉状態を維持したまま前記ノズル部の軸線方向に沿って移動可能に設けられ、前記ノズル部の内側に、該ノズル部の軸線方向に貫通する挿通孔が形成された隔壁部が配設されており、前記吐出弁には、前記挿通孔の内側に前記軸線方向に移動可能に挿通された挿通部と、該挿通部の両端部に設けられていると共に前記隔壁部の両側にそれぞれ配置されて該隔壁部に対してそれぞれ係止可能な一対の係止部と、前記ノズル部の内周面に全周に亘って液密に摺接すると共に弾性的に縮径変形可能なテーパー状の弁体部と、が備えられていることを特徴としている。
【０００９】
このような特徴により、シリンダ部内の液室に内容物が貯留された状態で、操作部を操作してピストン部が押し込まれると、吐出弁が開いて液室内の内容物がノズル部の内側を通って外部に吐出される。そして、ピストン部の押込み動作が停止すると、吐出弁が閉じられて内容物の吐出が停止する。その後、ピストン部が引き戻されると、吸込み弁が開いて吸込み部の内側を通って内容物がシリンダ部内の液室に吸い込まれる。そして、ピストン部の引戻し動作が停止すると、吸込み弁が閉じられて液室内への内容物の流入が停止する。このとき、ピストン部の引戻し動作が停止してから吸込み弁が閉じられるまでの間に、吸込み部の内側を流通する内容物の慣性によって液室内に内容物が流入する場合がある。この場合、液室の内圧によって吐出弁が押圧され、吐出弁が、シール性を発揮する閉状態を維持したままノズル部の軸線方向に沿って移動する。これにより、ピストン部の引戻し動作の停止後に液室内に流入した分の内容物の体積が吸収され、ピストン部の引戻し動作の停止直後に吐出弁が一時的に開けられることが防止される。
【００１１】
また、ピストン部が押し込まれて液室の内圧が加圧されると、その内圧によって吐出弁の弁体部が弾性的に縮径変形し、吐出弁が開かれる。なお、このとき、液室の内圧によって吐出弁がノズル先端側（ノズル部の内側を通って吐出される内容物の流通方向の下流側）に向けて押圧されるが、吐出弁の一対の係止部のうちのノズル基端側（前記流通方向の上流側）の係止部が隔壁部に係止されるので、吐出弁はノズル先端側に寄せた位置で停止している。また、上記したピストン部の押込み動作が停止すると、弁体部が弾性によって復元変形して拡径される。これにより、弁体部がノズル部の内周面に全周に亘って液密に摺接し、吐出弁が閉じられる。
【００１２】
また、ピストン部が引き戻されて液室の内圧が負圧になると、その負圧によって吐出弁が引っ張られてノズル基端側に移動する。そして、吐出弁の一対の係止部のうちのノズル先端側の係止部が隔壁部に係止されたところで、吐出弁のノズル基端側への移動が規制され、吐出弁がノズル基端側に寄せた位置で停止する。なお、このとき、弁体部はノズル部の内周面に全周に亘って液密に摺接しており、吐出弁はシール性を維持したまま移動する。
【００１３】
また、吐出弁がノズル先端側に向かって移動することにより、ピストン部の停止後に液室内に流入した分の内容物の体積が吸収されるので、液室の内圧で弁体部が縮径変形することが抑制されてシール性が維持される。また、ノズル先端側に向かって移動する吐出弁は、その一対の係止部のうちのノズル基端側の係止部が隔壁部に係止されることで、ノズル先端側に寄せた位置で停止する。
【発明の効果】
【００１４】
本発明に係る吐出ポンプによれば、吐出弁が移動することにより、ピストン部の引戻し動作の停止後に吐出弁が一時的に開けられることが防止されるので、シリンダ部内の液室に貯留された内容物がノズル部内に漏出するのを防止することができ、吐出操作後のノズル部からの液垂れを防止することができる。
【図面の簡単な説明】
【００１５】
【図１】本発明の実施の形態を説明するための吐出ポンプの縦断面図である。
【図２】本発明の実施の形態を説明するための吐出ポンプの縦断面図であり、ピストン部押込み動作中の状態を表した図である。
【図３】本発明の実施の形態を説明するための吐出ポンプの縦断面図であり、ピストン部引戻し動作中の状態を表した図である。
【図４】本発明の実施の形態を説明するための吐出ポンプの縦断面図であり、ピストン部引戻し完了直後の状態を表した図である。
【発明を実施するための形態】
【００１６】
以下、本発明に係る吐出ポンプの実施の形態について、図面に基いて説明する。
なお、本実施の形態では、吐出ポンプ１における操作部５側（図１における上側）を上方とし、その反対側（図１における下側）を下方とする。また、図１に示す符号Ｏは、後述するシリンダ部３の中心軸線を示しており、以下、単に軸線Ｏと記す。また、この軸線Ｏに沿った方向（シリンダ軸方向）を、以下、単に「軸方向」と記し、軸線Ｏに直交する方向を、以下、単に「径方向」と記し、軸線Ｏ回りの方向を、以下、単に「周方向」と記す。
【００１７】
図１に示すように、吐出ポンプ１は、容器本体１０に収容された内容物を吐出するためのポンプであり、容器本体１０の口部１１に装着されている。詳しく説明すると、吐出ポンプ１の概略構成としては、容器本体１０の口部１１に装着される装着キャップ２と、装着キャップ２の上方に配設されたシリンダ部３と、シリンダ部３の内周面に沿って軸方向に摺動可能なピストン部４と、このピストン部４を操作する操作部５と、シリンダ部３内の液室３２に連通された管状の吸込み部６と、吸込み部６の内側に配設された吸込み弁７と、シリンダ部３の側方に向かって突出すると共にシリンダ部３に直結されてシリンダ部３内の液室３２に連通された筒状のノズル部８と、ノズル部８の内側に配設された吐出弁９と、を備えている。
【００１８】
容器本体１０は、内容物を収容する容器であり、例えばガラス瓶やペットボトルや合成樹脂製ボトル等である。この容器本体１０の口部１１は、軸線Ｏを中心軸線にして軸方向に延在する円筒形状の筒部であり、口部１１の外周面には、雄ねじ１２が形成されている。また、この口部１１の内側には、筒状の中栓１３が装着されている。この中栓１３は、円筒形状の筒状部材であり、軸線Ｏを共通軸にして口部１１と同軸上に配設されている。また、中栓１３の軸方向中間部の外周面には、径方向外側に向けて突出したフランジ部１４が形成されている。このフランジ部１４は、周方向の全周に亘って形成された円環状の板部である。このフランジ部１４は、中栓１３を支持するための支持部であり、口部１１の上端面に載置されている。
【００１９】
装着キャップ２は、円筒形状の筒体であり、軸線Ｏを中心軸線にして軸方向に沿って延設されている。この装着キャップ２の内周面には、口部１１の雄ねじ１２に螺合される雌ねじ２０が形成されており、装着キャップ２は、口部１１の外周に螺着されている。
【００２０】
シリンダ部３は、内容物を貯留する液室３２が内側に形成された円筒形状の有底筒部であり、容器本体１０の外部（口部１１の直上）に配置されている。このシリンダ部３には、装着キャップ２に連結される連結部３０が設けられている。この連結部３０は、シリンダ部３の底壁部３１の下面から垂下された筒状部であり、軸線Ｏを中心軸線にして軸方向に沿って延設されている。この連結部３０の下端部は、装着キャップ２の上端部の内側に挿入されて装着キャップ２の上端部にアンダーカット嵌合されている。また、この連結部３０の下端面は上記した中栓１３のフランジ部１４上に載置されており、このフランジ部１４を介してシリンダ部３は口部１１の上端面に支持されている。
【００２１】
ピストン部４は、上記した液室３２を画成する可動壁であり、シリンダ部３の内側に配置されている。このピストン部４は、軸線Ｏに対して垂直に配設された円環状の底壁部４０と、底壁部４０の外縁から立設された筒状の周壁部４１と、底壁部４０の内縁から軸方向上側に向けて突出した突出部４２と、周壁部４１の外周に周設された筒状の摺接部４３と、を備えている。
【００２２】
底壁部４０は、液室３２に面する壁部であり、シリンダ部３の底壁部３１の上方に間隔をあけて対向配置されている。周壁部４１は、円筒形状の筒部であり、軸線Ｏを共通軸にしてシリンダ部３と同軸上に配設されている。突出部４２は、周壁部４１の内側に配設された有頂筒状の凸部であり、軸線Ｏを共通軸にしてシリンダ部３及び周壁部４１と同軸上に配設されている。摺接部４３は、軸線Ｏを共通軸にしてシリンダ部３と同軸上に配設された略円筒形状の筒部であり、この摺接部４３の軸方向中間部は、上記した周壁部４１の上端部に連結されている。摺接部４３の上端部は、軸方向上側に向かうに従い漸次拡径されたテーパー形状に形成されており、また、摺接部４３の下端部は、軸方向下側に向かうに従い漸次拡径されたテーパー形状に形成されている。そして、これら摺接部４３の上下端部は、それぞれシリンダ部３の内周面に全周に亘って液密に摺接されている。
【００２３】
操作部５は、シリンダ部３の上端部に被着された中蓋５０と、シリンダ部３に対して相対的に軸方向に沿って押し下げ可能な押下ヘッド５１と、押下ヘッド５１を上方に付勢するコイルスプリング５２と、押下ヘッド５１とピストン部４とを連結する連結部材５３と、を備えている。
【００２４】
中蓋５０は、軸線Ｏに対して垂直に配設された円環状の天壁部５０ａと、天壁部５０ａの外縁から垂下された外筒部５０ｂと、天壁部５０ａの内縁から垂下された内筒部５０ｃと、内筒部５０ｃの下端部の内側に配設された円環状の底壁部５０ｄと、底壁部５０ｄの内縁から立設されたガイド筒部５０ｅと、を備えている。天壁部５０ａは、シリンダ部３の上方に配置され、シリンダ部３の上端面に載置されている。外筒部５０ｂは、シリンダ部３の上端部の外周に周設された円筒形状の筒部であり、軸線Ｏを共通軸にしてシリンダ部３と同軸上に配置されていると共にシリンダ部３の上端部にアンダーカット嵌合されている。内筒部５０ｃは、シリンダ部３の上端部の内側に配設された略円筒形状の筒部であり、軸線Ｏを共通軸にしてシリンダ部３及び外筒部５０ｂと同軸上に配置されている。底壁部５０ｄは、軸線Ｏに対して垂直に配設された円環状の板部である。ガイド筒部５０ｅは、内筒部５０ｃの内側に配設された円筒形状の直筒部であり、軸線Ｏを共通軸にして内筒部５０ｃと同軸上に配置されている。
【００２５】
押下ヘッド５１は、軸線Ｏに対して垂直に配設された円環状の天壁部５１ａと、天壁部５１ａの外縁から垂下された周壁部５１ｂと、天壁部５１ａの内縁から垂下された内筒部５１ｃと、天壁部５１ａの下面から垂下された筒状のスプリング保持部５１ｄと、を備えている。天壁部５１ａは、中蓋５０の天壁部５０ａの上方に配設されている。周壁部５１ｂは、中蓋５０の外筒部５０ｂ及びシリンダ部３の外周に周設された円筒形状の直筒部であり、軸線Ｏを共通軸にして中蓋５０の外筒部５０ｂ及びシリンダ部３と同軸上に配置されている。内筒部５１ｃは、周壁部５１ｂの内側に配設された円筒形状の直筒部であり、軸線Ｏを共通軸にして周壁部５１ｂと同軸上に配置されている。また、内筒部５１ｃの外径は、中蓋５０のガイド筒部５０ｅよりも小径であり、内筒部５１ｃは、ガイド筒部５０ｅの内側に挿入されている。スプリング保持部５１ｄは、コイルスプリング５２の上端部を保持する円筒形状の筒部であり、周壁部５１ｂの上端部と内筒部５１ｃの上端部との間に配設されている。
【００２６】
コイルスプリング５２は、押し込まれたピストン部４を引き戻す付勢力を付与するための付勢部材であり、上記した中蓋５０と押下ヘッド５１との間に介装されている。詳しく説明すると、コイルスプリング５２は、押下ヘッド５１の周壁部５１ｂの内側に配設されており、コイルスプリング５２の下端は、上記した中蓋５０の底壁部５０ｄの上面に係止され、コイルスプリング５２の上端は、上記した押下ヘッド５１のスプリング保持部５１ｄの内側に嵌め込まれて押下ヘッド５１の天壁部５１ａの下面に係止されている。
【００２７】
連結部材５３は、押下ヘッド５１の内筒部５１ｃの内側に嵌合された嵌合部５３ａと、嵌合部５３ａの下端から径方向外側に突出したフランジ部５３ｂと、を備えている。嵌合部５３ａは、有頂筒状の筒部であり、軸線Ｏを共通軸にして押下ヘッド５１の内筒部５１ｃと同軸上に延設されている。この嵌合部５３ａの上端部は、押下ヘッド５１の内筒部５１ｃにアンダーカット嵌合されており、嵌合部５３ａの上端面は、押下ヘッド５１の天壁部５１ａの上面と面一に形成されている。また、嵌合部５３ａの下端部の内側には、ピストン部４の突出部４２が嵌入されており、嵌合部５３ａと突出部４２とはアンダーカット嵌合されている。フランジ部５３ｂは、周方向の全周に亘って形成された円環状の板部であり、ピストン部４の底壁部４０の上面に載置されていると共にピストン部４の周壁部４１の内側にアンダーカット嵌合されている。また、このフランジ部５３ｂが中蓋５０の底壁部５０ｄの下面に係止されており、これにより、コイルスプリング５２による押下ヘッド５１（ピストン部４）の上昇が制限されて押下ヘッド５１（ピストン部４）のストロークの上端位置が位置決めされている。
【００２８】
吸込み部６は、容器本体１０の内部に収容された内容物をシリンダ部３内の液室３２に吸い込むための管状部であり、その概略構成としては、シリンダ部３の底壁部３１の下面から垂下されていると共にシリンダ部３の内側に連通した接続筒部６０と、接続筒部６０に接続されたディップチューブ６１と、を備えている。
【００２９】
接続筒部６０は、上記した連結部３０の内側に配設されていると共に軸線Ｏを共通軸にして同軸上に配設された筒部である。この接続筒部６０は、上端部が拡径されている。すなわち、接続筒部６０は、シリンダ部３の内部に向けて開口された大径の上筒部６２と、上筒部６２の下方に段差を介して連設された小径の下筒部６３と、を備えている。下筒部６３の上端部の内周面には、全周に亘って径方向内側に突出した円環状の弁座部６４が形成されている。また、下筒部６３は、上記した中栓１３の内側に嵌入されている。なお、接続筒部６０は、上記したシリンダ部３と一体に形成されている。
【００３０】
ディップチューブ６１は、容器本体１０の内側に配置されて容器本体１０内の内容物を吸い上げるためのチューブであり、例えば可撓性を有するフレキシブルチューブからなる。なお、ディップチューブ６１は、単なる円筒状のパイプであってもよい。ディップチューブ６１の下端は、容器本体１０内に開放されており、ディップチューブ６１の上端は、上記した接続筒部６０の内側に嵌合されて上記した上筒部６２を介してシリンダ部３の内部に連通されている。
【００３１】
吸込み弁７は、シリンダ部３内の液室３２から吸込み部６内への内容物の流出を止める逆止弁であり、ピストン部４の引戻し動作（上方移動）に連動して開けられる。
詳しく説明すると、吸込み弁７は、上記した接続筒部６０の上筒部６２の内側に嵌合された周壁部７０と、周壁部７０の内側に配設されて上記した弁座部６４の内側を開閉する板状の弁体部７１と、弁体部７１の外周面と周壁部７０の内周面とを連結する弾性変形可能な連結部７２と、を備えている。
【００３２】
周壁部７０は、軸線Ｏを共通軸にして上筒部６２と同軸上に配設された円筒形状の筒部であり、上筒部６２の内側にアンダーカット嵌合されている。弁体部７１は、平面視円形の平板部であり、弁座部６４の上面に液密に密接（着座）されている。連結部７２は、弁体部７１の外周面と周壁部７０の内周面とを繋ぐブリッジ状の連結片であり、周方向に間欠的に複数配設されている。なお、吸込み弁７は、１つの連結部７２で弁体部７１を支持した一点弁であってもよい。
【００３３】
ノズル部８は、シリンダ部３内の液室３２に貯留された内容物を外部に吐出させるための筒状部であり、その概略構成としては、シリンダ部３の底壁部３１の下面から側方（軸線Ｏに交差する方向）に向かって突出していると共にシリンダ部３の内側に連通した接続筒部８０と、接続筒部８０に接続されたノズル筒８１と、を備えている。
【００３４】
接続筒部８０は、略円筒形状の筒部であり、先端側に向かって下向きに傾斜している。なお、図１に示す鎖線Ｌは、この接続筒部８０の中心軸線を示しており、以下、単に「ノズル軸線Ｌ」と記す。また、ノズル軸線Ｌに沿った方向を「ノズル軸方向」とし、ノズル軸線Ｌに直交する方向を「ノズル径方向」とし、ノズル軸線Ｌ回りの方向を「ノズル周方向」とする。
【００３５】
接続筒部８０の基端は、端壁部８２によって閉塞されており、また、接続筒部８０の基端部の上部は、シリンダ部３の内部に向けて開口されている。また、接続筒部８０の内側には、ノズル軸線Ｌに対して垂直に配設された隔壁部８３が配設されている。この隔壁部８３には、ノズル軸方向に沿って延在する直筒状の挿通孔８４が形成されている。この挿通孔８４は、隔壁部８３をノズル軸方向に貫通する貫通孔であり、ノズル軸線Ｌを中心軸線にして隔壁部８３の中央部分に形成されている。また、挿通孔８４のノズル先端側の端部８４ａは、ノズル基端側からノズル先端側に向かうに従い漸次拡径されたテーパー形状に形成されている。また、隔壁部８３には、ノズル軸方向に貫通する複数の流通孔８５が形成されている。この流通孔８５は、内容物が流通する流路であり、挿通孔８４の周囲に間欠的に形成されている。
【００３６】
ノズル筒８１は内容物を吐出するための筒部材である。ノズル筒８１の基端部は接続筒部８０の外周にアンダーカット嵌合されており、ノズル筒８１の内側は接続筒部８０の内側に連通されている。ノズル筒８１の先端部は下向きに屈曲されており、ノズル筒８１の先端は下向きに開口されている。
【００３７】
吐出弁９は、ノズル部８内からシリンダ部３内の液室３２への内容物及び空気の流入を止める逆止弁であり、ピストン部４の押込み動作（下方移動）に連動して開けられる。この吐出弁９は、シール性を発揮する閉状態を維持したままノズル軸方向に沿って移動可能に設けられている。
詳しく説明すると、吐出弁９は、挿通孔８４の内側にノズル軸方向に移動可能に挿通された挿通部９０と、挿通部９０の両端部に設けられた一対の係止部９１，９２と、ノズル部８の接続筒部８０の内周面に全周に亘って液密に摺接する弁体部９３と、が備えられている。
【００３８】
挿通部９０は、ノズル軸方向に延在する円柱形状の柱状部であり、ノズル軸線Ｌを共通軸に挿通孔８４と同軸上に延設されている。一対の係止部９１，９２は、挿通部９０に対して拡径された拡径部であり、隔壁部８３の両側にそれぞれ配置されており、隔壁部８３に対してそれぞれ係止可能である。一対の係止部９１，９２のうち、隔壁部８３のノズル基端側に配設された一方の係止部（第一係止部９１）は、ノズル基端側に向かうに従い漸次縮径された略円錐台形状に形成されており、この第一係止部９１を上述したテーパー状の挿通孔８４のノズル先端側端部８４ａから挿通孔８４内に挿入させることで、吐出弁９が挿通孔８４に挿装される。また、隔壁部８３のノズル先端側に配設された他方の係止部（第二係止部９２）は、円柱形状に形成されている。なお、上記した挿通部９０の長さ（ノズル軸方向の寸法）は、少なくとも挿通孔８４の孔長さ（ノズル軸方向の長さ寸法）よりも長くなっており、第一係止部９１の係止面と第二係止部９２の係止面との間隔は、隔壁部８３の厚さ寸法よりも大きくなっている。弁体部９３は、ノズル先端側に向かって漸次拡径されて弾性的に縮径変形可能なテーパー状の筒部であり、第二係止部９２のノズル先端側の端部外縁からノズル先端側に向かって突設されている。この弁体部９３の先端部（最大径部）は、接続筒部８０の内周面に液密に摺接されている。
【００３９】
次に、上記した構成からなる吐出ポンプ１の作用について説明する。
【００４０】
上記した吐出ポンプ１を用いて内容物を吐出する際には、図２に示すように、液室３２に内容物が貯留された状態で、押下ヘッド５１の天壁部５１ａの上面を押圧し、コイルスプリング５２の付勢力に抵抗しながら押下ヘッド５１を押し下げる。これにより、コイルスプリング５２が軸方向に圧縮されると共に、連結部材５３を介して押下ヘッド５１に連結されたピストン部４が、押下ヘッド５１と共にシリンダ部３に対して相対的に下降してシリンダ部３の底壁部３１側に押し込まれ、液室３２が減容される。その結果、液室３２の内圧が加圧され、その内圧によって吐出弁９が押圧されてノズル先端側に向けて移動（剛体変位）する。このとき、弁体部９３の先端部が接続筒部８０の内周面に沿って摺動するので、吐出弁９はシール性を維持したままノズル先端側に移動する。そして、第一係止部９１が隔壁部８３に当接したところで吐出弁９の移動が規制されて吐出弁９が停止する。その後、引き続きピストン部４が押し込まれて液室３２が減容し、液室３２の内圧が所定の正圧まで上昇することで、その内圧によって弁体部９３が弾性的に縮径変形し、弁体部９３の先端部と接続筒部８０の内周面との間に隙間Ｓが形成されて吐出弁９が開かれる。これにより、液室３２内の内容物が接続筒部８０の基端部の内側に流入した後、隔壁部８３の流通孔８５及び上記した隙間Ｓを通って接続筒部８０内をノズル先端側に向かって流通し、さらに、接続筒部８０内からノズル筒８１内に流入してノズル筒８１内を通ってノズル筒８１の先端開口部から外部に吐出される。
【００４１】
そして、上記した押下ヘッド５１の押し下げ操作を止めてピストン部４の押込み動作（下降）を停止させると、弁体部９３が弾性により復元変形して拡径される。これにより、弁体部９３の先端部が接続筒部８０の内周面に全周に亘って再び液密に摺接して吐出弁９が閉じられ、その結果、ノズル部８からの内容物の吐出が停止される。
【００４２】
次に、図３に示すように、押下ヘッド５１への押圧力を解除すると、コイルスプリング５２の付勢力によって押下ヘッド５１が押し上げられ、連結部材５３を介して押下ヘッド５１に連結されたピストン部４が、押下ヘッド５１と共にシリンダ部３に対して相対的に上昇してシリンダ部３の上端側に引き戻され、液室３２の容積が増大される。その結果、液室３２の内圧が負圧となり、その内圧によって吐出弁９が引っ張られてノズル基端側に向けて移動（剛体変位）する。このとき、弁体部９３の先端部が接続筒部８０の内周面に沿って摺動するので、吐出弁９はシール性を維持したままノズル基端側に移動する。そして、第二係止部９２が隔壁部８３に当接したところで吐出弁９の移動が規制されて吐出弁９が停止する。
【００４３】
また、上述したように液室３２の内圧が負圧となると、その内圧によって弁体部７１が引っ張られ、吸込み弁７の連結部７２を弾性変形させながら弁体部７１が引き上げられ、弁体部７１が弁座部６４から離間して吸込み弁７が開かれる。これにより、図１に示す容器本体１０内の内容物がディップチューブ６１内に流入してディップチューブ６１内を上方に向かって流通し、弁座部６４の内側を通って吸込み弁７の周壁部７０の内側に流入する。そして、その内容物は、周壁部７０と弁体部７１との間の隙間を通って流通し、接続筒部６０の上筒部６２の内側を通過して液室３２内に吸い込まれる。
【００４４】
そして、図４に示すように、連結部材５３のフランジ部５３ｂの上面が中蓋５０の底壁部５０ｄの下面に当接することで、押下ヘッド５１の上昇が停止してピストン部４の引戻し動作が停止する。これにより、吸込み弁７の連結部７２の弾性によって弁体部７１が引き下げられ、弁体部７１が弁座部６４に着座して液密に密接して吸込み弁７が閉じられ、その結果、液室３２内への内容物の吸い込みが停止される。
【００４５】
このとき、ピストン部４の引戻し動作が停止してから吸込み弁７が閉じられるまでの間に、吸込み部６の内側を流通する内容物の慣性によって液室３２内に内容物が流入する場合がある。この場合、液室３２の内圧によって吐出弁９が押圧され、吐出弁９がノズル先端側に移動（剛体移動）する。このとき、弁体部９３の先端部が接続筒部８０の内周面に沿って摺動するので、吐出弁９はシール性を維持したままノズル先端側に移動する。これにより、ピストン部４の引戻し動作の停止後に液室３２内に流入した分の内容物の体積が吸収されるので、液室３２の内圧で吐出弁９の弁体部９３が縮径変形することが抑制されてシール性が維持され、ピストン部４の引戻し動作の停止直後に吐出弁９が一時的に開けられることが防止される。また、第一係止部９１が隔壁部８３に当接したところで上述した吐出弁９のノズル先端側への移動が規制されて吐出弁９が停止する。
【００４６】
上記した吐出ポンプ１によれば、吐出弁９がノズル先端側に移動することによって、ピストン部４の引戻し動作の停止後に吐出弁９が一時的に開けられることが防止されるので、シリンダ部３内の液室３２に貯留された内容物がノズル部８内に漏出するのを防止することができる。これにより、吐出操作後にノズル部８の先端から内容物が液垂れするのを防止することができる。
【００４７】
以上、本発明に係る吐出ポンプの実施の形態について説明したが、本発明は上記した実施の形態に限定されるものではなく、その趣旨を逸脱しない範囲で適宜変更可能である。
例えば、上記した実施の形態では、ノズル部８がシリンダ部３の底壁部３１の下方からシリンダ部３の側方に突出されているが、本発明は、シリンダ部３の周壁部からノズル部が突出された構成であってもよい。
【００４８】
また、上記した実施の形態では、ノズル部８が、シリンダ部３と一体に形成された接続筒部８０と、その接続筒部８０に接続されたノズル筒８１と、からなり、吸込み部６が、シリンダ部３と一体に形成された接続筒部６０と、その接続筒部６０に接続されたディップチューブ６１と、からなるが、本発明は、上記した構成のノズル部８や吸込み部６に限定されるものではない。例えば、一部品からなるノズル部や吸込み部であってもよく、或いは、３つ以上の部品からなるノズル部や吸込み部であってもよい。また、ノズル部や吸込み部は、シリンダ部と一体に形成されたものでもシリンダ部と別体に形成されてシリンダ部に組み付けられたものであってもよい。
【００４９】
また、上記した実施の形態では、押下ヘッド５１を押し下げ操作することでピストン部４を押し込む操作部５が備えられているが、本発明における操作部は適宜変更可能である。例えば、前記特許文献１に示されているような、トリガーを回動操作することでピストン部を押し込むトリガー式の操作部であってもよい。
【００５０】
また、上記した実施の形態では、周壁部７０と弁体部７１と連結部７２とからなる吸込み弁７が備えられているが、本発明における吸込み弁の構成は適宜変更可能であり、公知の弁構造を採用することが可能である。例えば、吸込み弁として、テーパー状の弁座部に対して離間可能に着座した球状の弁体を用いることも可能である。
【００５１】
また、上記した実施の形態では、挿通部９０と一対の係止部９１，９２と弁体部９３とからなる吐出弁９が備えられているが、本発明は他の構成の吐出弁を用いることも可能である。例えば、ノズル部の内周面に沿って移動可能なリング状の弁座部と、その弁座部に対して離間可能に着座した弁体部と、からなる吐出弁であってもよい。これにより、ピストン部の引戻し動作が停止してから吸込み弁が閉じられるまでの間に、シリンダ部内の液室内に内容物が流入したときに、弁体部が弁座部に着座したまま弁座部がノズル部の内周面に沿ってノズル先端側に移動することで、ピストン部の停止後に液室内に流入した分の内容物の体積が吸収される。
【００５２】
その他、本発明の主旨を逸脱しない範囲で、上記した実施の形態における構成要素を周知の構成要素に置き換えることは適宜可能であり、また、上記した変形例を適宜組み合わせてもよい。
【符号の説明】
【００５３】
１  吐出ポンプ
３  シリンダ部
４  ピストン部
５  操作部
６  吸込み部
７  吸込み弁
８  ノズル部
９  吐出弁
３２  液室
８３  隔壁部
８４  挿通孔
９０  挿通部
９１  第一係止部（係止部）
９２  第二係止部（係止部）
９３  弁体部
【図１】
0005836065.tif 000002
【図２】
0005836065.tif 000003
【図３】
0005836065.tif 000004
【図４】
0005836065.tif 000005